(57)【特許請求の範囲】
【請求項１】
容器本体と、該容器本体に装着される蓋体とを備えている耐衝撃性容器であって、
前記容器本体は、内容物が収容される収容部と、該収容部の周囲を四方から囲む外壁部とを有しており、
前記収容部の底部が、前記外壁部の下端部よりも高い位置に設けられ、前記外壁部で前記容器本体が支持されており、
前記外壁部は、平面視して略正方形状であり、該外壁部を構成する隣接する板状の平坦部どうしの間には、外縁が円弧状の曲面に成形された角部が形成されており、
前記蓋体は、該蓋体の天面部を形成する外蓋を有し、該外蓋は、平面視して前記外壁部と同様の略正方形状であり、各角部の外縁が円弧状の曲面に成形されている耐衝撃性容器。
【請求項２】
前記蓋体は、前記外蓋の天面部の裏側に弾性体を介して内蓋がはめ込まれて組み立てられてなる請求項１に記載の耐衝撃性容器。
【請求項３】
前記外壁部は、下方に向けて厚みが薄くなるように設けられている請求項１又は２に記載の耐衝撃性容器。
【請求項４】
前記外壁部が、その内周面及び外周面の両側から下方に向けて厚みが薄くなるように設けられている請求項３に記載の耐衝撃性容器。
【請求項５】
前記容器本体が、合成樹脂の一体成形体である請求項１〜４の何れか一項に記載の耐衝撃性容器。
【発明の詳細な説明】
【技術分野】
【０００１】
本発明は、落下等によって衝撃が加わったときにも損傷を受けにくい耐衝撃性容器に関する。
【背景技術】
【０００２】
落下等によって衝撃が加わったときに容器が破損して内容物が容器外に出てしまわないように工夫が施された容器が種々提案されている。例えば、特許文献１に記載の技術では、収納物を収納する内容器を外容器内に収容し、これらの容器間に弾性材を介在させることにより、内側に配された収容器に衝撃が直接加わらないようになっている。
【０００３】
ところで、上述のような構成の容器は、部品数が多くなるため、組み立て工程も多くなり、その分製造コストが割高となる課題を有していた。
【０００４】
【特許文献１】特開２００３−４０２７６号公報
【発明の開示】
【発明が解決しようとする課題】
【０００５】
本発明は、上記課題に鑑みてなされたものであり、部品数や組み立て工程も少なく、落下等によって衝撃が加わったときにも損傷を受けにくい耐衝撃性容器を提供することを目的とする。
【課題を解決するための手段】
【０００６】
本発明は、容器本体と、該容器本体に装着される蓋体とを備えている耐衝撃性容器であって、前記容器本体は、内容物が収容される収容部と、該収容部の周囲を四方から囲む外壁部とを有しており、前記収容部の底部が、前記外壁部の下端部よりも高い位置に設けられ、前記外壁部で、前記容器本体が支持されている耐衝撃性容器を提供することにより、前記目的を達成したものである。
【発明の効果】
【０００７】
本発明の耐衝撃性容器は、部品数や組み立て工程も少なく製造コストを低く抑えることができる。また、落下等によって衝撃が加わったときにも容器の損傷を受けにくいため、該損傷に伴う内容物の漏れを防ぐことができる。
【発明を実施するための最良の形態】
【０００８】
以下本発明を、その好ましい実施形態に基づき図面を参照しながら説明する。
図１に示すように、本実施形態の耐衝撃性容器（以下、単に容器ともいう。）１は、容器本体２と、容器本体２に装着される蓋体３とを備えている。
【０００９】
容器本体２は、内容物が収容される収容部２１と、収容部２１の周囲を四方から囲む外壁部２２とを有している。
【００１０】
容器本体２は、上方に向けて開口する口部２０を有している。口部２０の外周面には、蓋体３を螺着させるためのねじ山２０１が設けられている。
【００１１】
収容部２１は、口部２０から連なる有底筒状の形態を有している。収容部２１の底部２１１は、外壁部２２の下端部２２１よりも高い位置に設けられている。このため、容器本体２は、外壁部２２によって支持される。外壁部２２の下端部２２１から収容部２１の底部２１１までの高さＨ（図２参照）は、収容部２１の底部２１１に直接衝撃が伝わらないようにすることを考慮して設定される。
【００１２】
外壁部２２は、口部２０と収容部２１との間から外方に張り出し、更に下方に向けて延設されている。収容部２１と外壁部２２との間には隙間が設けられており、収容部２１の周面には直接衝撃が伝わることがない。
【００１３】
外壁部２２は、下端部２２１で開口しており、下方に向けて厚みが薄くなるように設けられている。外壁部２２の厚みが下方に向けて薄く設けられていると、落下等によって衝撃が加わったときに、外壁部２２がしなりやすくなり、衝撃がより緩和される。成形の際の型抜きを考慮すると、内周面側が下方に向けて漸次薄くなるように成形することが好ましい。本実施形態では、図２に示すように、外壁部２２の内周面及び外周面の両側から下方に向けて外壁部２２の厚みが漸次薄くなるように成形されている。
外壁部２２の下端部２２１における厚みは、容器本体を支持したときの安定性を考慮すると、１．０〜２．０ｍｍが好ましい。
【００１４】
外壁部２２の周囲の形態は、平面視して略正方形状であり、隣接する板状の平坦部２２２どうしの間には四つの角部２２３が形成されている。各角部２２３の外縁が円弧状の曲面に成形されており、角部２２３において受けた衝撃による損傷を抑えるようになっている。
【００１５】
容器本体２は、合成樹脂の一体成形体である。容器本体２の構成材料としては、ポリエチレンテレフタレート、ポリシクロヘキサンジメチルテレフタレート等の合成樹脂が挙げられる。
【００１６】
蓋体３は、外蓋３１の天面部３１１の裏側に、弾性体３２を介して内蓋３３がはめ込まれて組み立てられている。外蓋３１の周囲の形態は、容器本体２の外壁部２２の周囲の形態と同様に、平面視して略正方形状であり、各角部の外縁が円弧状の曲面に成形されている。外蓋３１の内周面には、口部２０の外周面のねじ山２０１と螺合するねじ溝３１１が設けられている。蓋体３を構成する外蓋３１及び内蓋３３は、それぞれ合成樹脂で一体成形される。本実施形態では、外蓋３１はポリプロピレンの成形体であり、内蓋３３は低密度ポリエチレンの成形体である。弾性体３２は、ゴム等の弾性材の成形体であり、本実施形態ではシリコーンゴムの成形体である。
【００１７】
上述のように構成される容器１は、部品数や組み立て工程も少なく製造コストを低く抑えることができる。また、収容部２１の周囲を四方から囲む外壁部２２を有しているので、落下等によって衝撃が加わったときでも、外壁部２２によって衝撃が吸収され、収容部２１に衝撃が直接伝わることがなく、収容部２１の損傷やそれに伴う内容物の漏れだし等を防ぐことができる。
【００１８】
本発明は、前記実施形態に制限されない。
本発明の耐衝撃性容器は、前記実施形態のように、外壁部２２の内周面及び外周面の両側から下方に向けて外壁部２２の厚みが漸次薄くなるように成形することが好ましいが、外周面は垂直に成形し、内周面側のみから下方に向けて外壁部２２の厚みが薄くなるように成形することもできる。
【００１９】
本発明の耐衝撃性容器は、その用途に特に制限はない。本発明の耐衝撃性容器に収容する内容物としては、例えば、毛髪用化粧料等が挙げられる。
【図面の簡単な説明】
【００２０】
【図１】本発明の容器の一実施形態を示す模式図であり、（ａ）は平面図、（ｂ）は半断面図、（ｃ）は底面図である。
【図２】同実施形態の容器本体の部分拡大断面図である。
【符号の説明】
【００２１】
１  耐衝撃性容器
２  容器本体
２０  口部
２０１  ねじ山
２１  収容部
２１１  底部
２２  外壁部
２２１  下端部
２２２  平坦部
２２３  角部
３  蓋体
３１  外蓋
３１１  ねじ溝
３２  弾性体
３３  内蓋
【図１】
0005022826.tif 000002
【図２】
0005022826.tif 000003